(57)【要約】【課題】階段や廊下に配置された手摺の発光表示を安価かつ堅牢で取替えなどの維持管理の容易なものとする。【解決手段】壁面に固定される略棒状の手摺本体２と、この手摺本体２の外周面２ａに固定されたチューブ材６とを含む手摺構造である。前記チューブ材６は、透光性材料で構成されたチューブ本体６ａの内層部に、自然光又は人工光などから光エネルギーを吸収して、暗闇に光として放出する特性を持つ蓄光性材料６ｂを有する発光層７を具えることを特徴とする。【選択図】図２
2011063951.tif 000002
【特許請求の範囲】
【請求項１】
壁面に固定される略棒状の手摺本体と、この手摺本体の外周面に固定されたチューブ材とを含み、
前記チューブ材は、透光性材料で構成されたチューブ本体の内層部に、蓄光性材料を有する発光層を具えることを特徴とする手摺構造。
【請求項２】
前記チューブ材は、熱収縮によって前記手摺本体の外周面に密着固定される請求項１記載の手摺構造。
【請求項３】
前記手摺本体の外周面は、前記蓄光性材料の光を外部に反射する反射面を具えた金属材料からなる請求項１記載の手摺構造。
【発明の詳細な説明】
【技術分野】
【０００１】
本発明は、建物の階段、廊下などの通路に設置される手摺構造に関し、特に、夜間や停電時などの非常時に電源が無くともその位置や通路の方向を知ることのできる発光機能を具えた手摺構造に関する。
【背景技術】
【０００２】
建物の階段や通路などにおいては、夜間や停電時などの非常時でも、足元が見えるように、非常灯などが設置されている。これらの設備は、設置するための経費がかかるのみならず、常に非常時に備えて維持・管理しなければならない。このため、メンテナンスの手間やコストが嵩むという欠点がある。
【０００３】
従来、このような欠点を解消するため、階段や廊下等の通路に沿って、蓄光顔料を塗布することや、蓄光顔料を含むシート材を貼り付けてこれらの位置や経路を表示することが行われている。蓄光顔料は、例えばアルミン酸を主成分とし、高い輝度性能を有し、残光特性・耐候性もよく数時間以上に亘って発光して視認可能であるから、広く用いられるようになっている。
【０００４】
また、階段や廊下などに設置された手摺では、手摺自体が視認出来ることが望まれる。従来、芯材を合成樹脂で被覆した手摺部材において、その長手方向に凹溝を設け、該凹溝内に蓄光シートを敷設するとともに、この蓄光シート上に透光材を保護層として形成してなる手摺構造が下記特許文献１にて提案されている。
【０００５】
しかしながら、上記構造によれば、手摺自体を明確に視認できるものの、手摺に蓄光シートを直接貼付する構造であるため、シート自体が汚れたり損傷し易く、人の出入の多い場所での使用に耐える十分な耐久性を確保することが難しい。また、手摺の被覆層に凹溝を形成して蓄光シートを埋め込む構造は、既存の手摺に採用する場合には、手摺側の加工が必要となり、施工上も手間がかかることは避けられない。このように、従来の構造では、施工やメンテナンス上の維持管理コストも少なくない。
【先行技術文献】
【特許文献】
【０００６】
【特許文献１】特開平１１‐１０７４７６号公報
【発明の概要】
【発明が解決しようとする課題】
【０００７】
本発明は、以上のような実情に鑑み案出なされたもので、壁面に固定される略棒状の手摺本体に、蓄光性材料を有する発光層を具えたチューブ材を固定することを基本として、手摺に容易に設置することが出来るととともに損傷し難く、または損傷しても容易に補修することが可能な手摺構造を提供することを主たる目的としている。
【課題を解決するための手段】
【０００８】
本発明のうち請求項１記載の発明は、壁面に固定される略棒状の手摺本体と、この手摺本体の外周面に固定されたチューブ材とを含み、前記チューブ材は、透光性材料で構成されたチューブ本体の内層部に、蓄光性材料を有する発光層を具えることを特徴とする手摺構造である。
【０００９】
また請求項２記載の発明は、前記チューブ材は、熱収縮によって前記手摺本体の外周面に密着固定される請求項１記載の手摺構造である。
【００１０】
また請求項３記載の発明は、前記手摺本体の外周面は、前記蓄光性材料の光を外部に反射する反射面を具えた金属材料からなる請求項１記載の手摺構造である。
【発明の効果】
【００１１】
本発明の手摺構造は、壁面に固定される略棒状の手摺本体と、この手摺本体の外周面に固定されたチューブ材とを含み、前記チューブ材は、透光性材料で構成されたチューブ本体の内層部に、蓄光性材料を有する発光層を具えることを特徴とする。このような手摺構造は、現場にて、手摺本体に特段の加工を要することなく極めて簡単にチューブ材を外挿して取り付け施工作業を行うことができる。特に請求項２の発明のように、チューブ材を熱収縮により、手摺本体に固着するときには、作業性がより一層向上する。従って、簡単かつ低コストな発光機能を有する手摺構造を提供できる。また、蓄光層を有するチューブ材は、損傷した場合でも、その交換が容易である。したがって、例えば、今後のバリアフリーの居住環境の整備又は建築物内部の非常時に備えた安全システムの一環として広く普及を図ることが可能である。
【図面の簡単な説明】
【００１２】
【図１】本発明の手摺構造の一例を示す斜視図である。
【図２】図１の断面図である。
【図３】本発明の他の実施形態を示す断面図である。
【図４】本発明の他の実施形態を示す断面図である。
【図５】本実施形態の断面図である。
【図６】本実施形態の作用を説明する拡大断面図である。
【発明を実施するための形態】
【００１３】
以下、本発明の実施の一形態が図面に基づき説明される。
図１は、本発明の実施形態に係る手摺構造を、建物の廊下ａ及びそれに続く階段ｂの壁面ｃ、ｄに設置した斜視図である。図１に示されるように、本実施形態の手摺１の構造は、前記各壁面ｃ及びｄのほぼ腰高さに、棒状をなす手摺本体２がブラケット３を介して固定されている。
【００１４】
図２は、手摺本体２及びブラケット３の拡大断面図である。前記ブラケット３は、壁面ｃ（又はｄ）にネジ４で固着される取付部３ａと、前記手摺本体２を支えかつ該手摺本体２にネジ５で固定された支持部３ｃと、この支持部３ｃと前記取付部３ａとの間を継ぐ継ぎ部３ｂとを含む金物からなり、手摺本体２の長さ方向に所定のピッチで隔設されている。
【００１５】
前記手摺本体２は、この例では金属材料の円筒中空材で形成されるが、樹脂材料や木質材で形成されても良い。また、手摺本体２は、棒状であれば、その断面形状は特に限定されることはなく、例えば図３に示されるような矩形状の他、楕円状又は三角形状など種々のものが採用できる。
【００１６】
手摺本体２の外周面２ａには、その全周を覆うチューブ材６が外挿されて固定される。このチューブ材６は、透光性材料で（本実施形態では透明に）構成されたチューブ本体６ａの内層部に、蓄光性材料６ｂを有する発光層を具えることを特徴とする。なお、図において、蓄光性材料６ｂは、模式化して示されている。
【００１７】
前記蓄光性材料６ｂとしては、自然光又は人工光などから光エネルギーを吸収して、暗闇に光として放出する特性を有する顔料であれば種々のものを採用でき、例えばアルミン酸ストロンチウムなどが好適である。また、蓄光性材料６ｂは、例えば粉体状をなしチューブ本体６ａの樹脂材料に練り込まれて一体成形されることにより、該チューブ本体６ａの内層部に保持される。
【００１８】
以上のような手摺構造では、昼間の太陽光や照明によって光エネルギーを蓄えた蓄光性材料６ｂは、夜間に効果的に発光し、その光はチューブ本体６ａを透過するため外部から視認される。これにより、手摺本体２の位置を明瞭に視認させすることができる。従って、夜間でも非常灯なしに手摺位置を確認することができる。
【００１９】
また、蓄光層は、手摺本体２に外挿されかつ固定されたチューブ材６によって保持されるため、蓄光シートのように手摺本体２に部分的に貼り付けられたものに比して十分な耐久性を発揮できる。また、チューブ材６が、手摺１の表面を満遍なく覆うことにより、表面の凹凸を目立たなくし、滑らかな手触りを確保するのにも役立つ。
【００２０】
さらに、本発明は、既存の手摺に適用される場合、ブラケット３から手摺本体２を取り外す作業は必要になるものの、手摺本体２側に特段の加工を要することなく施工できる。従って、施工やメンテナンス上の維持管理コストも小さくできる点でも好ましい。
【００２１】
また、図２に示されるように、本実施形態におけるチューブ材６の発光層７は、チューブ断面で環状に連続して形成される。このような発光層７は、発光時、手摺を光らせるのみならず、壁面ｃ（又はｄ）をも照らすことができ、いわゆる間接照明としての機能も発揮しうる。これは、建物の廊下ａや階段ｂの外観を大幅に向上させるのに役立つ。
【００２２】
本実施形態のチューブ材６は、熱収縮によって手摺本体２の外周面２ａに密着固定されている。即ち、その施工方法としては、ブラケット３から取り外された手摺本体２に、その長手方向に沿って収縮前のチューブ材６が遊嵌挿入され、その後、チューブ材６に蒸気、熱風又は温水等の媒体を介して熱エネルギーを与えて収縮させる。これにより、チューブ材６が手摺本体２に密着固定される。従って、チューブ材６が熱収縮性を有する場合には、さらに施工性が向上する。
【００２３】
前記熱収縮性のチューブ本体６ａは、例えばポリスチレン、塩化ビニル、ポリプロピレン、ポリエチレン又はエチレン酢酸ビニル共重合体などの樹脂材料で形成されるのが望ましい。また、チューブ本体６ａに配合される蓄構成材料６ｂ（蓄光顔料）の配合量は、特に限定されるものではないが、ポリマー１００重量部に対して、概ね１０〜３０重量部が好適である。なお、蓄光性材料には、種々の色合いのものが採用できるのは言うまでもない。
【００２４】
また、図２に示されるチューブ材６は、厚さｔが周方向で一定であるが、例えば図４に示されるように、厚さｔａ、ｔｂのように異ならせることができる。また、大きい厚さｔａの厚肉部６Ａは、小さい厚さｔｂの薄肉部６Ｂに比べて、単位周長さ当たりの蓄光性材料６ｂの配合量が多く、ひいては光量も大きくなる。従って、この実施形態のように、厚肉部６Ａを上部側に、かつ、薄肉部６Ｂを底部側にそれぞれ配することにより、効果的に大きな光量を歩行者に認識させることができる。
【００２５】
また、図５には、本発明の他の実施形態が示される。この実施形態のチューブ材６は、蓄光性材料６ｂ（蓄光層７）が、断面の周方向の一部分である領域Ｘにのみ設けられており、他の領域には配されていない。そして、この蓄光性材料６ｂが配された領域Ｘの蓄光層７を壁面とは反対側に向けて配置することが望ましい。このような実施形態では、少ない蓄光性材料で視認性を確保でき、効率良くかつより低コストで視認性を確保できる点で望ましい。
【００２６】
さらに好ましい実施形態として、図６に示されるように、金属材料からなる手摺本体２の外周面２ａが、前記蓄光性材料６ｂの光を外部に反射する反射面８を具える。該反射面８は、例えば表面研磨処理又はメッキ処理によって形成できる。このような反射面８は、蓄光性材料６ｂの発する手摺本体２側の光を外部に反射し、より一層手摺の視認性を高めることができる。とりわけ、前記反射面８の反射率は８５％以上、より好ましくは９０％以上とするのが望ましい。
【００２７】
以上、本発明の実施形態について説明したが、本発明は、上記の具体的な実施形態に限定されるものではなく、種々の態様に実施して変更することができる。
【符号の説明】
【００２８】
１  手摺
２  手摺本体
３  ブラケット
６  チューブ材
６ａ  チューブ本体
６ｂ  蓄光性材料
７  発光層
【図１】
2011063951.tif 000003
【図２】
2011063951.tif 000004
【図３】
2011063951.tif 000005
【図４】
2011063951.tif 000006
【図５】
2011063951.tif 000007
【図６】
2011063951.tif 000008